(57)【要約】      （修正有）【課題】保冷材などの物品の重みによるシート部材の伸張を抑えることができ、物品が物品収容部から不用意に脱落することを防止できる包装用箱の提供。【解決手段】筒状又は袋状の物品収容部１２をシート部材７１で形成した包装用箱であって、前記物品収容部１２は、前記シート部材７１と箱本体又は前記シート部材７１間が相互に対向する第１固定部７３及び第２固定部７４によって固定されることで物品収容空間１２ａの側縁部を形成する。また、前記第１固定部７３及び前記第２固定部７４のうち少なくとも一方には、前記物品収容部１２の外側に向けて突出する凸部９１ａ・９２ａと、前記物品収容部１２の内側に向けて突出する凹部９１ｂ・９２ｂとが交互に形成されている。【選択図】図６
0003170614.tif 000002
【実用新案登録請求の範囲】
【請求項１】
筒状又は袋状の物品収容部をシート部材で形成した包装用箱であって、
前記物品収容部は、前記シート部材と箱本体又は前記シート部材間が相互に対向する第１固定部及び第２固定部によって固定されることで物品収容空間の側縁部が形成され、
前記第１固定部及び前記第２固定部のうち少なくとも一方には、前記物品収容部の外側に向けて突出する凸部と、前記物品収容部の内側に向けて突出する凹部とが交互に形成されている、ことを特徴とする包装用箱。
【請求項２】
前記第１固定部の凸部と前記第２固定部の凹部は相互に対向する位置に形成されている、ことを特徴とする請求項１に記載の包装用箱。
【請求項３】
前記第１固定部の凸部と前記第２固定部の凸部は相互に対向する位置に形成されている、ことを特徴とする請求項１に記載の包装用箱。
【請求項４】
前記第１固定部は、前記凸部の頂点を構成する第１固定点と、前記凹部の頂点を構成する第２固定点と、を有する複数の線状、又は点状に形成されており、
前記第１固定点と前記第２固定点との間に、前記シート部材と前記箱本体又は前記シート部材間が固定されていない部分を有する、ことを特徴とする請求項１から請求項３のいずれか一項に記載の包装用箱。
【請求項５】
前記第１固定点及び前記第２固定点のうち、前記第１固定点のみを有する第３固定部が形成されていることを特徴とする請求項４に記載の包装用箱。
【請求項６】
前記第２固定部は、前記凸部の頂点を構成する第３固定点と、前記凹部の頂点を構成する第４固定点と、を有する複数の線状、又は点状に形成されており、
前記第３固定点と前記第４固定点との間に、前記シート部材と前記箱本体又は前記シート部材間が固定されていない部分を有する、ことを特徴とする請求項１から請求項５のいずれか一項に記載の包装用箱。
【請求項７】
前記第３固定点及び前記第４固定点のうち、前記第３固定点のみを有する第４固定部が形成されていることを特徴とする請求項６に記載の包装用箱。
【請求項８】
前記第１固定部又は前記第２固定部のうち少なくとも一方は、連続線状に形成されていることを特徴とする請求項１から請求項３のいずれか一項に記載の包装用箱。
【考案の詳細な説明】
【技術分野】
【０００１】
本考案は、包装用箱、特に保冷体などの物品を収容するための物品収容構造に関するものである。
【背景技術】
【０００２】
従来、保冷体等の物品を収容するための包装用箱の収容構造については様々なものが提案されている。また、保冷体等の物品を収容部に挿入作業の際、利便性の観点からシート間に隙間がある方が望ましいとされる。
例えば、特許文献１に示す包装用箱の収容構造においては、柔軟性シート材からなる筒状又は袋状の収容部を天板の内面に形成し、収容部に保冷体を収容するとともに保持している。
【０００３】
しかしながら、不織布などの柔軟性シート（シート部材）は、収容部に隙間が形成されやすい一方、物品の重みによって徐々に位置が下がり、包装用箱の内容物を損傷する場合がある。また、前記現象によって、収容部が広がって収容部内の物品が移動しやすくなり、ひいては収容部（物品収容部）から脱落するなどの問題が生じる可能性がある。
【先行技術文献】
【特許文献】
【０００４】
【特許文献１】登録実用新案第３０８８８９８号公報
【考案の概要】
【考案が解決しようとする課題】
【０００５】
解決しようとする課題は、保冷材などの物品の重みによるシート部材の伸張を抑えることができ、物品が物品収容部から不用意に脱落することを防止できる包装用箱の提供である。
【課題を解決するための手段】
【０００６】
本考案の解決しようとする課題は以上の如くであり、次にこの課題を解決するための手段を説明する。
【０００７】
即ち、請求項１においては、筒状又は袋状の物品収容部をシート部材で形成した包装用箱であって、前記物品収容部は、前記シート部材と箱本体又は前記シート部材間が相互に対向する第１固定部及び第２固定部によって固定されることで物品収容空間の側縁部が形成され、前記第１固定部及び前記第２固定部のうち少なくとも一方には、前記物品収容部の外側に向けて突出する凸部と、前記物品収容部の内側に向けて突出する凹部とが交互に形成されているものである。
【０００８】
請求項２においては、前記第１固定部の凸部と前記第２固定部の凹部は相互に対向する位置に形成されているものである。
【０００９】
請求項３においては、前記第１固定部の凸部と前記第２固定部の凸部は相互に対向する位置に形成されているものである。
【００１０】
請求項４においては、前記第１固定部は、前記凸部の頂点を構成する第１固定点と、前記凹部の頂点を構成する第２固定点と、を有する複数の線状、又は点状に形成されており、前記第１固定点と前記第２固定点との間に、前記シート部材と前記箱本体又は前記シート部材間が固定されていない部分を有するものである。
【００１１】
請求項５においては、前記第１固定点及び前記第２固定点のうち、前記第１固定点のみを有する第３固定部が形成されているものである。
【００１２】
請求項６においては、前記第２固定部は、前記凸部の頂点を構成する第３固定点と、前記凹部の頂点を構成する第４固定点と、を有する複数の線状、又は点状に形成されており、前記第３固定点と前記第４固定点との間に、前記シート部材と前記箱本体又は前記シート部材間が固定されていない部分を有するものである。
【００１３】
請求項７においては、前記第３固定点及び前記第４固定点のうち、前記第３固定点のみを有する第４固定部が形成されているものである。
【００１４】
請求項８においては、前記第１固定部又は前記第２固定部のうち少なくとも一方は、連続線状に形成されているものである。
【考案の効果】
【００１５】
本考案の効果として、以下に示すような効果を奏する。
【００１６】
請求項１においては、第１固定部及び第２固定部の少なくとも一方に、凸部と凹部とが交互に形成され、凸部では、物品収容空間が外側に向けて拡張されることとなり、物品収容空間を十分に確保することができる。一方、凹部では、物品収容空間を狭くすることができるため、シート部材の伸張を抑えることができる。また、物品収容空間が狭い凹部に、収容された物品が引っ掛るため、物品が不用意に物品収容部から脱落することを防止できる。
【００１７】
請求項２においては、第１固定部の凸部と第２固定部の凹部が相互に対向する位置に形成されているため、凸部では、物品収容空間を確保するとともに、凹部では、シート部材の伸張を抑えることができる。そして、収容された物品が凸部で引っ掛り易くなるため、物品が不用意に物品収容空間から脱落することを防止できる。
【００１８】
請求項３においては、第１固定部と第２固定部との凸部が相互に対向する位置に形成されているので、物品収容空間が外側に向けてより拡張されることとなり、物品収容空間を十分に確保することができる。一方、第１固定部及び第２固定部の凹部が相互に対向する位置に形成されていることとなるので、物品収容空間の間隔を狭くすることができるため、シート部材の伸張をより抑えることができる。
【００１９】
請求項４においては、第１固定部が相互に分離した複数の箇所で形成され、第１固定点と第２固定点との間に、シート部材と箱本体又はシート部材間が固定されていない部分を有することで、この固定されていない部分に物品が位置すると物品が第１固定部に引っ掛りやすくなり物品が不用意に物品収容空間から脱落することを防止することができる。
【００２０】
請求項５においては、第１固定部の最も外側に第３固定部が形成されることで、第３固定部が第１固定部の補助的な役割を果たして、物品収容空間の側縁部を強固に保持できる。
【００２１】
請求項６においては、第２固定部が相互に分離した複数の箇所で形成され、第３固定点と第４固定点との間に、シート部材と箱本体又はシート部材間が固定されていない部分を有することで、この固定されていない部分に物品が位置すると物品が第２固定部に引っ掛りやすくなり物品が不用意に物品収容空間から脱落することを防止することができる。
【００２２】
請求項７においては、第２固定部の最も外側に第４固定部が形成されることで、第４固定部が第２固定部の補助的な役割を果たして、物品収容空間の側縁部を強固に保持できる。
【００２３】
請求項８においては、第１固定部又は第２固定部のうち少なくとも一方が連続線状の固定部であることで、収容された物品が固定部に引っ掛る際も、物品収容空間の側縁部を強固に保持でき、ひいては物品収容空間の形状を強固に保持することができる。
【図面の簡単な説明】
【００２４】
【図１】本考案の実施例１に係る固定部を有する包装用箱１１の展開形成体１３の平面図。
【図２】包装用箱１１を折り畳んだ状態を示す平面図。
【図３】包装用箱１１を筒状に組み立てた状態を示す斜視簡略図。
【図４】包装用箱１１を組み立てた状態を示す斜視簡略図。
【図５】本考案の実施例１に係る固定部の形状を示す展開形成体。
【図６】同じく収容部に物品を挿入する方法を示す平面図。
【図７】ａ従来の固定部による物品の収容状態を示す後方側面図、ｂ実施例１に係る固定部による物品の収容状態を示す後方側面図。
【図８】本考案の実施例２に係る固定部の形状を示す展開形成体。
【図９】本考案の実施例３に係る固定部の形状を示す展開形成体。
【図１０】本考案の実施例４に係る固定部の形状を示す展開形成体。
【図１１】本考案の実施例５に係る固定部の形状を示す展開形成体。
【考案を実施するための形態】
【実施例１】
【００２５】
次に、考案の実施の形態について図を用いて説明する。
【００２６】
まず、本考案の各実施例に係る包装用箱１１のシート部材７１を付着して物品収容部１２を形成する箱本体１４について図１から図４を用いて説明する。尚、箱本体１４は、以下の形状に限定されるものではない。
【００２７】
包装用箱１１は、図１に示すように、底板２１の第１端部に順次連設される、第１側面板３１、天板４１、及び第２側面板５１によって筒状に形成され、開口部が第１上蓋部４２と第１下蓋部２３、及び第２上蓋部４３と第２下蓋部２４によって閉塞される、いわゆるサック形式の包装用箱１１である。包装用箱１１は折り畳まれた半完成状態で菓子店等に納品され（図２参照）、ケーキ等を収容する前に最終の組み立てが行われて完成状態の包装用箱１１とされる。
【００２８】
尚、以下の説明では、開口部が形成されている側を前後方向とする。そして、図１から図４の図示左側を前側とし、図示右側を後側とする。また、上下方向は、包装用箱１１を組み立てて、底板２１を下にして載置した状態で、底板２１側を下方とする。
【００２９】
図１に示す展開形成体１３に従って包装用箱１１を構成する部分を説明する。図１は、包装用箱１１の内側面となる面を紙面手前側として示している。まず底板２１は、包装用箱１１の底部を構成する部分である。底板２１の第１端部には包装用箱１１の側面を構成する第１側面板３１が第１側面板折目線６１を介して連設されている。底板２１の前側の端部には、前側の蓋部を構成する第１下蓋部２３が第１下蓋部折目線６３を介して連設されている。第１下蓋部２３には、前切込部２５が形成されている。底板２１の後側の端部には、後側の蓋部を構成する第２下蓋部２４が第２下蓋部折目線６４を介して連設されている。第２下蓋部２４には、後切込部２６が形成されている。底板２１の第１端部に対向する第２端部には、取付面２２が取付面折目線６２を介して連設されている。取付面２２は、第２側面板５１に固定されて、底板２１を第２側面板５１に対して固定する部材である。
【００３０】
次に、第１側面板３１の端部のうち、底板２１と対向する端部には、包装用箱１１の天部を構成する天板４１が天面折目線６５を介して連設されている。第１側面板３１の前側の端部には、第１前フラップ３２が第１前フラップ折目線６６を介して連設されている。第１側面板３１の後側の端部には、第１後フラップ３３が第１後フラップ折目線６７を介して連設されている。
【００３１】
天板４１の端部のうち、第１側面板３１と対向する端部には、包装用箱１１の側面板を構成する第２側面板５１が、第２側面板折目線８０を介して連設されている。天板４１の前側の端部には、前側の蓋部を構成する第１上蓋部４２が第１上蓋部折目線８１を介して連設されている。第１上蓋部４２の端部には、第１下蓋部２３の端部に形成された前切込部２５に差し込まれる前差込片４４が形成されている。天板４１の後側の端部には、後側の蓋部を構成する第２上蓋部４３が第２上蓋部折目線８２を介して連設されている。第２上蓋部４３の端部には、第２下蓋部２４の端部に形成された後切込部２６に差し込まれる後差込片４５が形成されている。
【００３２】
第２側面板５１の前側の端部には、第２前フラップ５２が第２前フラップ折目線６８を介して連設されており、第２側面板５１の後側の端部には、第２後フラップ５３が第２後フラップ折目線６９を介して連設されている。
【００３３】
天板４１の中央部には、円弧状の切れ込みが平行に形成された把持部４６が１対形成されている。把持部４６は周囲の天板４１に対して上方に起こすことによって取っ手を形成するものである（図４参照）。また、天板４１の内側の略全面を被覆するようにシート部材７１が設けられている。シート部材７１は、保冷材やドライアイス等の補助的な物品を収容する物品収容部１２を構成するものである。また、シート部材７１は、透明性を有したフィルム材などからなる第１シート７１ａと、不織布やレーヨン紙などからなる第２シート７１ｂとによって構成される。
【００３４】
箱本体１４に対するシート部材７１の固定は、まず、天板４１の所定の位置に、第１シート７１ａが接着材等の図示しない固定手段によって固定される。さらに第１シート７１ａを覆うように第２シート７１ｂが重ねて載置される。続いて第２シート７１ｂの側部において、第２シート７１ｂの上から加熱手段により加熱することで第１固定部７３及び第２固定部７４が形成される。第１固定部７３及び第２固定部７４により、第２シート７１ｂが第１シート７１ａに固定される。シート部材７１は、前部と後部が開放状態とされた筒状に形成されて、第１シート７１ａと第２シート７１ｂとの間に、物品を収容する物品収容空間１２ａが形成される。第１固定部７３及び第２固定部７４は物品収容空間１２ａの内と外とを実質的に区分けする物品収納空間１２ａの側縁部を構成する。前部と後部の開放端部である第２シート７１ｂと第１シート７１ａとの間は、物品収容部１２内に保冷材等の物品１００を挿入可能とする収容口となる。
【００３５】
第１シート７１ａ及び第２シート７１ｂの固定は、熱溶着手段に限定されず、接着剤のほか、両面テープ等の固定手段を用いることができる。また、図示は省略するが、シート部材７１と箱本体１４の一部を構成する天板４１は、前記固定部（第１固定部７３及び第２固定部７４）と同じ位置で固定しても、別途固定部を設けて固定してもよい。この場合も接着剤のほか、両面テープ等の固定手段を用いることができる。
【００３６】
尚、シート部材７１・・・は、第１シート７１ａと第２シート７１ｂとで構成されているが、限定するものではない。特に、第１シート７１ａは、天板４１に形成される開口からの塵埃等の侵入を防止するために設けており、開口が形成されていなければ、第２シート７１ｂのみであってもよい。シート部材７１を箱本体１４の内側面に対して一重のみで構成した場合、物品収容部１２の物品収容空間１２ａは、箱本体とシート部材との間に形成される。また、シート部材が設けられる位置は天板４１に限らず、第１側面板３１など側面であってもよい。
【００３７】
尚、本考案のシート部材７１は、第１シート７１ａと第２シート７１ｂとを合わせて筒状としているが、袋状に構成してもよい。つまり、シート部材７１の左右どちらか一方の端部を固定し、左右どちらか他方の端部は、箱本体１４に固定することなく開放端部とし、袋状に構成してもよい。
【００３８】
次に、包装用箱１１を半完成状態まで組み立てる場合について説明する。図１、図２に示すように、まず、第１側面板折目線６１を谷折して、底板２１を第１側面板３１に対して折り返し、第１下蓋部２３が第１前フラップ３２、第２下蓋部２４が第１後フラップ３３に重なるようにする。次に、第２側面板折目線８０を谷折して、第２側面板５１を天板４１に対して折り返し、第２前フラップ５２が第１上蓋部４２、第２後フラップ５３が第２上蓋部４３に重なるようにする。そして、第２側面板５１が取付面２２に重なるようにし、第２側面板５１と取付面２２とを固定する。固定は、接着剤を用いた貼着手段や、熱溶着等の固定手段を用い、取付面２２の略全面と、第２側面板５１とを固定する。これにより、図２に示すように、包装用箱１１は略半分に折り畳まれた半完成状態となる。
【００３９】
次に、折り畳まれた半完成状態の包装用箱１１を完成体まで組み立てる場合について説明する。まだ谷折されていなかった天面折目線６５と取付面折目線６２とを谷折して、図３に示すように、底板２１に対して、第１側面板３１と第２側面板５１とを起立させ、第１側面板３１、天板４１、及び第２側面板５１によって筒状とする。
【００４０】
収容口から物品収容部１２の物品収容空間１２ａへと物品１００を挿入することで収納し、包装用箱１１の前部又は後部の一方を組み立てる。さらに、包装用箱１１の前部又は後部の他方の開口部から包装用箱１１の内部空間へとケーキ等の物品を収納し、包装用箱１１の前部又は後部の他方を組み立てる。
【００４１】
前部の組み立ては、図２、図３に示す第１前フラップ折目線６６を谷折して第１前フラップ３２を内側に曲げ、第２前フラップ折目線６８を谷折して第２前フラップ５２を内側に曲げ、第１下蓋部折目線６３を谷折し、第１下蓋部２３を底板２１に対して起立させる。そして、第１上蓋部折目線８１を谷折して第１上蓋部４２を下方に曲げ、第１上蓋部４２の前差込片４４を第１下蓋部２３の前切込部２５に挿入することで、包装用箱１１の前部が閉塞される。
【００４２】
後部の組み立ては、前部と同様に、第１後フラップ折目線６７を谷折して第１後フラップ３３を内側に曲げ、第２後フラップ折目線６９を谷折して第２後フラップ５３を内側に曲げ、第２下蓋部折目線６４を谷折し、第２下蓋部２４を底板２１に対して起立させる。そして、第２上蓋部折目線８２を谷折して後の収容口近傍のシート部材７１とともに第２上蓋部４３を下方に曲げ、第２上蓋部４３の後差込片４５を第２下蓋部２４の後切込部２６に挿入することで、包装用箱１１の後部が閉塞される。そして、包装用箱１１の前部と後部を閉塞した状態を図４に示す。
【００４３】
次に、シート部材７１間を固定して物品収容部１２の物品収容空間１２ａの側縁部を構成する実施例１の固定部（第１固定部７３、第２固定部７４）を主に図５及び図６を用いて説明する。
【００４４】
本実施例の固定部は、主として、第１固定部７３、第２固定部７４によって構成されている。第１固定部７３及び第２固定部７４は、ともに連続した曲線状の固定部である。第１固定部７３はシート部材７１の左端部に設けられ、第２固定部７４はシート部材７１の右端部に設けられている。つまり、物品収容部１２の左右の両側部は、第１固定部７３及び第２固定部７４によって形成されている。
【００４５】
第１固定部７３には、物品収容部１２の外側に向けて突出する凸部９１ａ・９１ａ・９１ａと、物品収容部１２の内側に向けて突出する凹部９１ｂ・９１ｂ・９１ｂとが交互に形成されている。第２固定部７４にも、物品収容部１２の外側に向けて突出する凸部９２ａ・９２ａ・９２ａと、物品収容部１２の内側に向けて突出する凹部９２ｂ・９２ｂ・９２ｂと、が交互に形成されている。つまり、第１固定部７３は、前方から後方に、凸部９１ａ、凹部９１ｂ、凸部９１ａ、凹部９１ｂ、凸部９１ａ、凹部９１ｂが順に形成されている。第２固定部７４は、前方から後方に、凹部９２ｂ、凸部９２ａ、凹部９２ｂ、凸部９２ａ、凹部９２ｂ、凸部９２ａが順に形成されている。
【００４６】
さらに、第１固定部７３の凸部９１ａ・９１ａ・９１ａと第２固定部７４の凹部９２ｂ・９２ｂ・９２ｂは、左右の対向する位置にそれぞれ形成されている。そして、第１固定部７３の凹部９１ｂ・９１ｂ・９１ｂと第２固定部７４の凸部９２ａ・９２ａ・９２ａも、左右の対向する位置にそれぞれ形成されている。
【００４７】
上記のように、第１固定部７３と第２固定部７４が形成されることで、第１固定部７３と第２固定部７４の前端部の間に形成された挿入口、又は、後端部の間に形成された挿入口から物品１００を挿入し、図６に示す物品収容部１２の物品収容空間１２ａに物品１００を収容することが可能となる。
【００４８】
物品１００の収容位置であるが、図６に示すように、第１固定部７３の凸部９１ａの周辺と第２固定部７４の凸部９２ａの周辺に物品１００を位置させ、第１固定部７３の凸部９１ａよりも物品収容部１２の幅が狭くなった凹部９１ｂと、第２固定部の凸部９１ａよりも物品収容部１２の幅が狭くなった凹部９２ｂとで、物品１００を引っ掛けるようにする。
【００４９】
したがって、物品収容空間１２ａの側縁部が、凸部９１ａと凹部９１ｂとが交互に形成された第１固定部７３と、凸部９２ａと凹部９２ｂとが相互に形成された第２固定部７４とで構成されている。そのため、凸部９１ａ・９２ａでは、物品収容空間１２ａが外側に向けて拡張されることとなり、物品収容空間１２ａを十分に確保することができる。一方、凹部９１ｂ・９２ｂでは、物品収容空間１２ａを狭くすることができるため、シート部材７１の第２シート７１ｂの伸張を抑えることができる。また、物品収容空間１２ａが狭い凹部９１ｂ・９２ｂに、収容された物品１００が引っ掛るため、物品１００が不用意に物品収容部１２の物品収容空間１２ａから脱落することを防止できる。
【００５０】
第１固定部７３及び第２固定部７４が連続線状の固定部であることで、収容された物品１００が固定部に引っ掛る際も、物品収容空間１２ａの側縁部を強固に保持でき、ひいては物品収容空間１２ａの形状を強固に保持することができる。
【００５１】
また、従来の物品収容部と実施例１の物品収容部１２を比較すると、従来の物品収容部を示す図７ａは、固定部７・７と物品１００との間である物品収容空間に、特に固定部７・７の周辺に隙間が生じて、時間が経過すると物品の重みにより徐々にシート部材７１の第２シート７１ｂが下方へと移動しようとする。しかし、図７ｂに示す実施例１の第１固定部７３と第２固定部７４では、凹部９１ｂ・９２ｂの周辺において第２シート７１ｂの拡張を抑え、凸部９１ａ・９２ａの周辺において物品収容空間１２ａを十分に確保していることが分かる。
【実施例２】
【００５２】
次に、本考案の実施例１の箱本体１４とシート部材７１を用いて、シート部材７１間を固定して物品収容部１２１の物品収容空間１２ｂの側部を構成する実施例２の固定部（第１固定部７３、第２固定部１７４）の構成を中心に説明する。
尚、以下の各実施例において、前述の実施例と同じ部分や部材については、同じ符号を付し詳細な説明は省略する。
【００５３】
図８に示す実施例２の固定部は、第１固定部７３、第２固定部１７４によって構成されている。
第１固定部７３及び第２固定部１７４は、ともに連続した曲線状の固定部である。第１固定部７３はシート部材７１の左端部に設けられ、第２固定部１７４はシート部材７１の右端部に設けられている。つまり、物品収容部１２１の両側部は、第１固定部７３及び第２固定部１７４によって形成されている。
【００５４】
第２固定部１７４には、物品収容部１２１の外側に向けて突出する凸部９３ａ・９３ａ・９３ａと、物品収容部１２１の内側に向けて突出する凹部９３ｂ・９３ｂ・９３ｂとが交互に形成されている。つまり、第２固定部１７４には、前方から後方に向かって、凸部９３ａ、凹部９３ｂ、凸部９３ａ、凹部９３ｂ、凸部９３ａ、凹部９３ｂが交互に形成されている。
【００５５】
さらに、第１固定部７３の凸部９１ａ・９１ａ・９１ａと第２固定部１７４の凸部９３ａ・９３ａ・９３ａは、左右の対向する位置にそれぞれ形成されている。そして、第１固定部７３の凹部９１ｂ・９１ｂ・９１ｂと第２固定部１７４の凹部９３ｂ・９３ｂ・９３ｂも、左右の対向する位置にそれぞれ形成されている。
【００５６】
上記のように、第１固定部７３と第２固定部１７４が形成されることで、第１固定部７３と第２固定部１７４の前端部の間に形成された挿入口、又は、第１固定部７３と第２固定部１７４の後端部の間に形成された挿入口から物品１００を挿入し、物品収容部１２１に物品１００を収容することが可能となる。
【００５７】
第１固定部７３及び第２固定部１７４の凸部９１ａ・９３ａが相互に対向する位置に形成されているので、物品収容部１２１が外側に向けてより拡張されることとなり、物品収容空間１２ｂを十分に確保することができる。一方、第１固定部７３及び第２固定部１７４の凹部９１ｂ・９３ｂが相互に対向する位置に形成されているので、物品収容空間１２ｂの間隔を狭くすることができるため、シート部材７１の伸張をより抑えることができる。
【００５８】
尚、挿入口はシート部材７１の前端部と後端部に形成され、実施例２において、前側の挿入口は、相互に対向する位置に形成された凹部９１ｂ・９３ｂであるため、後側の挿入口よりも大きく開口されることとなる。したがって、物品１００を挿入する際は、比較的大きな挿入口である前端部から物品１００を後側へと挿入し、第１固定部７３と第２固定部１７４の凸部９３ａの周辺に物品を配置する。すると、物品１００が物品収容部１２１の物品収容空間１２ｂ内で移動しづらくなるとともに、前端部よりも後端部側の挿入口の方が小さい空間であるため、物品収容部１２１の物品収容空間１２ｂから物品１００が不用意に脱落することを防止できる。
【実施例３】
【００５９】
次に、本考案の実施例１の箱本体１４とシート部材７１を用いて、シート部材７１間を固定して物品収容部１２２の物品収容空間１２ｃの側縁部を構成する実施例３の固定部（第１固定部、第２固定部）を主に図９を用いて説明する。
尚、説明を容易とするため、図中に二点鎖線を用いて仮想線Ａ・Ｂを示している。この仮想線は、近傍の固定部を結ぶ仮想の線である。
【００６０】
実施例３の固定部は、第１固定部、第２固定部によって構成されている。第１固定部及び第２固定部は、左右に対向するように配置され、ともに複数の線状の固定部で形成されている。つまり、第１固定部は、相互に分離した複数の固定部７５ａ・７５ｂ・７５ｃ・７５ｄ・７５ｅ・７５ｆで構成され、第２固定部は、相互に分離した複数の固定部７６ａ・７６ｂ・７６ｃ・７６ｄ・７６ｅ・７６ｆで構成されている。これら固定部は、前後方向に伸びる線状に形成されている。
【００６１】
第１固定部の複数の固定部７５ａ・７５ｂ・７５ｃ・７５ｄ・７５ｅ・７５ｆのうち、固定部７５ａ・７５ｃ・７５ｅの間には、第１シート７１ａと第２シート７１ｂとが固定されていない部分が形成されている。固定部７５ａは、シート部材７１の前端に位置する第１固定点ａ１を有し、固定部７５ｃ・７５ｅは、それらの前後中央部に位置する第１固定点ａ２・ａ３を有する。
【００６２】
固定部７５ｂ・７５ｄ・７５ｆは、固定部７５ａ・７５ｃ・７５ｅよりもシート部材７１の内側に配置されている。さらに、前後方向において、固定部７５ｂは第１固定点ａ１と第１固定点ａ２の間に位置し、固定部７５ｄは第１固定点ａ２と第１固定点ａ３の間に位置し、固定部７５ｆは第１固定点ａ３よりも後方に位置する。
【００６３】
つまり、固定部７５ａが固定部７５ｂよりも物品収容部１２２の外側に向けて配置され、固定部７５ｃが固定部７５ｂ・７５ｄよりも物品収容部１２２の外側に向けて配置され、固定部７５ｅが固定部７５ｄ・７５ｆよりも物品収容部１２２の外側に向けて配置されている。したがって、仮想線Ａで結ばれた状態でみると、固定部７５ａ・７５ｂで第１固定点ａ１を頂点とする第１固定部の凸部が形成され、固定部７５ｂ・７５ｃ・７５ｄで第１固定点ａ２を頂点とする第１固定部の凸部が形成され、固定部７５ｄ・７５ｅ・７５ｆで第１固定点ａ３を頂点とする第１固定部の凸部が形成されている。
【００６４】
また、固定部７５ｂが固定部７５ａよりも物品収容部１２２の内側に向けて配置され、固定部７５ｄが固定部７５ｃ・７５ｅよりも物品収容部１２２の内側に向けて配置され、固定部７５ｆが固定部７５ｅよりも物品収容部１２２の内側に向けて配置されている。したがって、仮想線Ａで結ばれた状態でみると、固定部７５ａ・７５ｂ・７５ｃで第２固定点ｂ１を頂点とする第１固定部の凹部が形成され、固定部７５ｃ・７５ｄ・７５ｅで第２固定点ｂ２を頂点とする第１固定部の凹部が形成され、固定部７５ｅ・７５ｆで第２固定点ｂ３を頂点とする第１固定部の凹部が形成されている。
【００６５】
さらに、第１固定点ａ１を有する固定部７５ａ、第２固定点ｂ１を有する固定部７５ｂ、第１固定点ａ２を有する固定部７５ｃ、第２固定点ｂ２を有する固定部７５ｄ、第１固定点ａ３を有する固定部７５ｅ、第２固定点ｂ３を有する固定部７５ｆ、の間は、シート部材７１（第１シート７１ａと第２シート７１ｂ）の間が固定されていない部分が形成されている。
【００６６】
第２固定部の複数の固定部７６ａ・７６ｂ・７６ｃ・７６ｄ・７６ｅ・７６ｆのうち、固定部７６ａ・７６ｃ・７６ｅの間には、第１シート７１ａと第２シート７１ｂとが固定されていない部分が形成されている。固定部７６ａは、シート部材７１の前端に位置する第３固定点ｃ１を有し、固定部７６ｃ・７６ｅは、それらの前後中央部に位置する第３固定点ｃ２・ｃ３を有する。
【００６７】
固定部７６ｂ・７６ｄ・７６ｆは、固定部７６ａ・７６ｃ・７６ｅよりもシート部材７１の内側に配置されている。さらに、前後方向において、固定部７６ｂは第３固定点ｃ１と第３固定点ｃ２の間に位置し、固定部７６ｄは第３固定点ｃ２と第３固定点ｃ３の間に位置し、固定部７６ｆは第３固定点ｃ３よりも後方に位置する。
【００６８】
つまり、固定部７６ａが固定部７６ｂよりも物品収容部１２２の外側に向けて配置され、固定部７６ｃが固定部７６ｂ・７６ｄよりも物品収容部１２２の外側に向けて配置され、固定部７６ｅが固定部７６ｄ・７６ｆよりも物品収容部１２２の外側に向けて配置されている。したがって、仮想線Ｂで結ばれた状態でみると、固定部７６ａ・７６ｂで第３固定点ｃ１を頂点とする第２固定部の凸部が形成され、固定部７６ｂ・７６ｃ・７６ｄで第３固定点ｃ２を頂点とする第２固定部の凸部が形成され、固定部７６ｄ・７６ｅ・７６ｆで第３固定点ｃ３を頂点とする第２固定部の凸部が形成されている。
【００６９】
また、固定部７６ｂが固定部７６ａよりも物品収容部１２２の内側に向けて配置され、固定部７６ｄが固定部７６ｃ・７６ｅよりも物品収容部１２２の内側に向けて配置され、固定部７６ｆが固定部７６ｅよりも物品収容部１２２の内側に向けて配置されている。したがって、仮想線Ｂで結ばれた状態でみると、固定部７６ａ・７６ｂ・７６ｃで第４固定点ｄ１を頂点とする固定部の凹部が形成され、固定部７６ｃ・７６ｄ・７６ｅで第４固定点ｄ２を頂点とする固定部の凹部が形成され、固定部７６ｅ・７６ｆで第４固定点ｄ３を頂点とする第２固定部の凹部が形成されている。
【００７０】
さらに、第３固定点ｃ１を有する固定部７６ａ、第４固定点ｄ１を有する固定部７６ｂ、第３固定点ａ２を有する固定部７６ｃ、第４固定点ｄ２を有する固定部７６ｄ、第３固定点ｃ３を有する固定部７６ｅ、第４固定点ｄ３を有する固定部７６ｆ、の間は、シート部材７１（第１シート７１ａと第２シート７１ｂ）の間が固定されていない部分が形成されている。
【００７１】
上記のように、第１固定部と第２固定部が形成されることで、第１固定部の一部を構成する固定部７５ａと第２固定部の一部を構成する固定部７６ａの前端部の間に形成された挿入口、又は、第１固定部の一部を構成する固定部７５ｆと第２固定部の一部を構成する固定部７６ｆの前端部の間に形成された挿入口から物品１００を挿入し、物品収容部１２２に物品１００を収容することが可能となる。
【００７２】
第１固定部が相互に分離した複数の箇所で形成され、第１固定点ａ１・ａ２・ａ３と第２固定点ｂ１・ｂ２・ｂ３との間に、シート部材７１（第１シート７１ａと第２シート７１ｂの間）が固定されていない部分を有することで、この固定されていない部分に物品１００が位置すると物品１００が第１固定部の一部を構成する固定部７５ｂ・７５ｄ・７５ｆに引っ掛りやすくなり物品１００が不用意に物品収容空間１２ｂから脱落することを防止することができる。
【００７３】
同じく、第２固定部が相互に分離した複数の箇所で形成され、第３固定点ｃ１・ｃ２・ｃ３と第４固定点ｄ１・ｄ２・ｄ３との間に、シート部材７１の間（第１シート７１ａと第２シート７１ｂの間）が固定されていない部分を有することで、この固定されていない部分に物品１００が位置すると物品１００が第２固定部の一部を構成する固定部７６ｂ・７６ｄ・７６ｆに引っ掛りやすくなり物品１００が不用意に物品収容空間１２ｃから脱落することを防止することができる。
【実施例４】
【００７４】
次に、本考案の実施例１の箱本体１４とシート部材７１を用いて、シート部材７１間を固定して物品収容部１２３の物品収容空間１２ｄの側縁部を構成する実施例４の固定部（第１固定部、第２固定部、第３固定部２７３及び第４固定部２７４）を主に図１０を用いて説明する。
【００７５】
実施例４の固定部は、主として、第１固定部、第２固定部、第３固定部２７３、第４固定部２７４によって構成されている。
【００７６】
第１固定部及び第２固定部は、実施例３と同じ固定部である。
第３固定部２７３は、図９に示す実施例３の第１固定部の一部を構成する固定部７５ａ・７５ｃ・７５ｅを図１０に示す一つの連続した線状に形成した固定部である。つまり、第３固定部２７３は、第１固定部の第１固定点ａ１・ａ２・ａ３を含む前後方向に伸びる線状に形成された固定部である。
【００７７】
第４固定部２７４は、図９に示す実施例３の第１固定部の一部を構成する固定部７６ａ・７６ｃ・７６ｅを図１０に示す一つの連続した線状に形成した固定部である。つまり、第４固定部２７４は、第２固定部の第３固定点ｃ１・ｃ２・ｃ３を含む前後方向に伸びる線状に形成された固定部である。
【００７８】
また、第３固定部２７３は、第１固定部の一部を構成する第１固定点ａ１・ａ２・ａ３を含む前後方向に伸びた線状に形成され、第１固定部の一部を構成し第２固定点ｂ１・ｂ２・ｂ３を含む固定部７５ｂ・７５ｄ・７５ｆも、前後方向に所定の間隔を隔てた線状に形成されている。第３固定部２７３と固定部７５ｂ・７５ｄ・７５ｆとは、それぞれ左右方向に所定の間隔を隔てて形成されている。
【００７９】
したがって、第１固定部の凸部は、仮想線Ａで結ばれた状態でみると、第１固定点ａ１から第２固定点ｂ１にかけて、第２固定点ｂ１から第１固定点ａ２から第２固定点ｂ２にかけて、第２固定点ｂ２から第１固定点ａ３から第２固定点ｂ３にかけて形成されている。さらに、第１固定部の凹部は、仮想線Ａで結ばれた状態でみると、第１固定点ａ１から第２固定点ｂ１から第１固定点ａ２にかけて、第１固定点ａ２から第２固定点ｂ２から第１固定点ａ３にかけて、第１固定点ａ３から第２固定点ｂ３にかけて形成されている。
【００８０】
また、第４固定部２７４は、第２固定部の一部を構成する第３固定点ｃ１・ｃ２・ｃ３を含む前後方向に伸びた直線状に形成され、第２固定部の一部を構成し第４固定点ｄ１・ｄ２・ｄ３を含む固定部７６ｂ・７６ｄ・７６ｆも、前後方向に所定の間隔を隔てた直線状に形成されている。第４固定部２７４と固定部７６ｂ・７６ｄ・７６ｆとは、それぞれ左右方向に所定の間隔を隔てて形成されている。
【００８１】
したがって、第２固定部の凸部は、仮想線Ｂで結ばれた状態でみると、第３固定点ｃ１から第４固定点ｄ１にかけて、第４固定点ｄ１から第３固定点ｃ２から第４固定点ｄ２にかけて、第４固定部ｄ２から第３固定部ｃ３から第４固定部ｄ３にかけて形成されている。さらに、第２固定部の凹部は、仮想線Ｂで結ばれた状態でみると、第３固定点ｃ１から第４固定点ｄ１から第３固定点ｃ２にかけて、第３固定点ｃ２から第４固定点ｄ２から第３固定点ｃ３にかけて、第３固定点ｃ３から第４固定点ｃ３にかけて形成されている。
【００８２】
上記のように、固定部（第１固定部、第２固定部、第３固定部２７３、第４固定部２７４）を形成することで、図１０に示すように、第３固定部２７３と第４固定部２７４の前端部との間に形成された挿入口、又は、後側の第１固定部の一部を構成する固定部７５ｆと第２固定部の一部を構成する固定部７６ｆとの間に形成された挿入口から物品１００を収容することが可能となる。
【００８３】
また、第１固定部の最も外側に第３固定部２７３が形成されることで、第３固定部２７３が第１固定部の補助的な役割を果たして、物品収容部１２３の物品収容空間１２ｃの左の側縁部を強固に保持できる。
【００８４】
第２固定部の最も外側に第４固定部２７４が形成されることで、第４固定部２７４が第２固定部の補助的な役割を果たして、物品収容部１２３の物品収容空間１２ｃの右の側縁部を強固に保持できる。
【実施例５】
【００８５】
実施例５の固定部は、実施例２の第１固定部７３と実施例４の第３固定部２７３及び実施例２の第２固定部１７４と実施例４の第４固定部２７４を組み合わせて、図１１に示すように、物品収容部１２４の物品収容空間１２ｃの左右の側縁部を形成する固定部を構成したものである。
【００８６】
つまり、実施例２の第１固定部７３の凸部９１ａ・９１ａ・９１ａの頂点ａ４・ａ５・ａ６を実施例４の第３固定部２７３が共有するように配置したものである。実施例２の第２固定部１７４の凸部９３ａ・９３ａ・９３ａの頂点ｃ４・ｃ５・ｃ６を実施例４の第４固定部２７４が共有するように配置したものである。
【００８７】
このように固定部が構成されることによって、実施例２の効果はもとより、第１固定部７３の外側に第３固定部２７３、第２固定部１７４の外側に第４固定部２７４が、配置されているため、実施例２よりも物品収容部１２４の物品収容空間１２ｅの両側縁部を強固に保持することができる。
【００８８】
上記の各実施例において、第１固定部及び第２固定部には、凸部と凹部の数をそれぞれ３つとしているが１つ、２つ、又は４つ以上としてもよく、凸部と凹部の数は同じでなくてもよい。
また、第１固定部と第２固定部が前方に向かうにつれて物品収容部の左右方向の幅が狭くなるように形成しても、その逆に後方に向かうにつれて左右方向の幅が狭くなるように形成してもよい。
実施例１以外の実施例は、第１固定部と第２固定部が左右対称に形成されているが、例えば、実施例２の第１固定部と実施例３の第２固定部を組み合わせて固定部を構成してもよい。
【符号の説明】
【００８９】
７      固定部
１１    包装用箱
１２    物品収容部
１２ａ  物品収容空間
１２ｂ  物品収容空間
１２ｃ  物品収容空間
１２ｄ  物品収容空間
１２ｅ  物品収容空間
１３    展開形成体
１４    箱本体
２１    底板
２２    取付面
２３    第１下蓋部
２４    第２下蓋部
２５    前切込部
２６    後切込部
３１    第１側面板
３２    第１前フラップ
３３    第１後フラップ
４１    天板
４２    第１上蓋部
４３    第２上蓋部
４４    前差込片
４５    後差込片
４６    把持部
５１    第２側面板
５２    第２前フラップ
５３    第２後フラップ
６１    第１側面板折目線
６２    取付面折目線
６３    第１下蓋部折目線
６４    第２下蓋部折目線
６５    天面折目線
６６    第１前フラップ折目線
６７    第１後フラップ折目線
６８    第２前フラップ折目線
６９    第２後フラップ折目線
７１    シート部材
７１ａ  第１シート
７１ｂ  第２シート
７３    第１固定部
７４    第２固定部
７５ａ  固定部
７５ｂ  固定部
７５ｃ  固定部
７５ｄ  固定部
７５ｅ  固定部
７５ｆ  固定部
７６ａ  固定部
７６ｂ  固定部
７６ｃ  固定部
７６ｄ  固定部
７６ｅ  固定部
７６ｆ  固定部
８０    第２側面板折目線
８１    第１上蓋部折目線
８２    第２上蓋部折目線
９１ａ  凸部
９１ｂ  凹部
９２ａ  凸部
９２ｂ  凹部
９３ａ  凸部
９３ｂ  凹部
１００  物品
１２１  物品収容部
１２２  物品収容部
１２３  物品収容部
１２４  物品収容部
１７４  第２固定部
２７３  第３固定部
２７４  第４固定部
ａ１    第１固定点
ａ２    第１固定点
ａ３    第１固定点
ａ４    頂点
ａ５    頂点
ａ６    頂点
ｂ１    第２固定点
ｂ２    第２固定点
ｂ３    第２固定点
ｃ１    第３固定点
ｃ２    第３固定点
ｃ３    第３固定点
ｃ４    頂点
ｃ５    頂点
ｃ６    頂点
ｄ１    第４固定点
ｄ２    第４固定点
ｄ３    第４固定点
Ａ      仮想線
Ｂ      仮想線
【図１】
0003170614.tif 000003
【図２】
0003170614.tif 000004
【図３】
0003170614.tif 000005
【図４】
0003170614.tif 000006
【図５】
0003170614.tif 000007
【図６】
0003170614.tif 000008
【図７】
0003170614.tif 000009
【図８】
0003170614.tif 000010
【図９】
0003170614.tif 000011
【図１０】
0003170614.tif 000012
【図１１】
0003170614.tif 000013